(57)【要約】【課題】電気素子が実装されたフレキシブル配線板の浮きをテープを用いて抑える場合に、該テープの巻き付けが電子素子に影響を与えることを回避する。【解決手段】光学機器１００のレンズ鏡筒は、ベース筒１０４と、該ベース筒の外周面上に配置され、電気素子１０７が実装された第１のフレキシブル配線板１０６と、ベース筒の外周面との間で第１のフレキシブル配線板を保持するようにベース筒の外周に巻き付けられるテープ１１０とを有する。ベース筒の外周面上において電気素子を挟む両側の位置うち少なくとも一方に、レンズ鏡筒の径方向において電気素子よりも高い位置に端面１０５ｂを有するスペーサ１０５が設けられている。テープは、スペーサの端面の上を通ってベース筒の外周に巻き付けられている。【選択図】図３
2016053667.tif 000002
【特許請求の範囲】
【請求項１】
レンズ鏡筒を有する光学機器であって、
前記レンズ鏡筒は、
ベース筒と、 
該ベース筒の外周面上に配置され、電気素子が実装された第１のフレキシブル配線板と、
前記ベース筒の外周面との間で前記第１のフレキシブル配線板を保持するように前記ベース筒の外周に巻き付けられるテープとを有し、
前記ベース筒の外周面上において前記電気素子を挟む両側の位置うち少なくとも一方に、前記レンズ鏡筒の径方向において前記電気素子よりも高い位置に端面を有するスペーサが設けられており、
前記テープは、前記スペーサの前記端面よりも前記径方向の外側を通って前記ベース筒の外周に巻き付けられていることを特徴とする光学機器。
【請求項２】
前記スペーサが、前記ベース筒の周方向における前記電気素子の両側に設けられていることを特徴とする請求項１に記載の光学機器。
【請求項３】
前記スペーサは、前記ベース筒の外周面上に前記第１のフレキシブル配線板が配置された後に前記ベース筒に取り付けられることを特徴とする請求項１または２に記載の光学機器。
【請求項４】
前記第１のフレキシブル配線板から第２のフレキシブル配線板が延び、該第２のフレキシブル配線板は折り畳み部を有しており、
前記折り畳み部が、前記ベース筒の外周面と前記テープとの間に配置されていることを特徴とする請求項１から３のいずれか一項に記載の光学機器。
【請求項５】
前記折り畳み部が、前記スペーサの前記端面と前記テープとの間に配置されていることを特徴とする請求項４に記載の光学機器。
【請求項６】
ベース筒と、 
該ベース筒の外周面上に配置され、電気素子が実装された第１のフレキシブル配線板と、
前記ベース筒の外周面との間で前記第１のフレキシブル配線板を保持するように前記ベース筒の外周に巻き付けられるテープとを有するレンズ鏡筒であって、
前記ベース筒の外周面上において前記電気素子を挟む両側の位置うち少なくとも一方に、前記レンズ鏡筒の径方向において前記電気素子よりも高い位置に端面を有するスペーサが設けられており、
前記テープは、前記スペーサの前記端面よりも前記径方向の外側を通って前記ベース筒の外周に巻き付けられていることを特徴とするレンズ鏡筒。
【発明の詳細な説明】
【技術分野】
【０００１】
本発明は、レンズ鏡筒を有する交換レンズ、デジタルスチルカメラおよびビデオカメラ等の光学機器に関する。
【背景技術】
【０００２】
上記のような光学機器には、いわゆる手振れによる像振れを低減するための防振システムが搭載されている。防振システムは、光学機器に設けられた振れセンサ（ジャイロセンサ等）によって該光学機器の振れを検出し、検出した振れによって生ずる像振れを打ち消す方向にレンズまたは撮像素子をシフトさせる。
【０００３】
この防振システムにおいて振れを検出する振れセンサが、光学機器のうち振れ量が大きくなるレンズ鏡筒の前側（被写体側）に設けられる場合がある。この場合、振れセンサを、交換レンズであればカメラ本体の近くに設けられた該交換レンズのＣＰＵと、またレンズ一体型カメラであれば撮像素子の近くに設けられた該カメラのＣＰＵと接続するために、長いフレキシブル配線板がレンズ鏡筒の内部に配置される。実際には、フレキシブル配線板上に振れセンサを予め実装し、このフレキシブル配線板を、レンズ鏡筒のベースとなるベース筒の前端近傍の外周に沿うように配置する。フレキシブル配線板を含むベース筒の外周には、レンズ鏡筒の外観を構成する部材（外周筒やフォーカス操作環等）が配置される。
【０００４】
ただし、長いフレキシブル配線板がレンズ鏡筒の内部においてベース筒に対して浮く等、変位すると、振れセンサが傾いて振れの検出を良好に行えなくなったり、フレキシブル配線板がレンズ鏡筒内の可動部材に接触して断線したりするおそれがある。このため、従来は、ベース筒の外周に沿ったフレキシブル配線板を振れセンサとともにそれらの外周側からベース筒に押さ込むように、浮き抑えテープをベース筒に巻き付けていた。
【０００５】
なお、光学機器に対する振れセンサの別の取り付け方法として、特許文献１に、交換レンズのマウント部（カメラ本体への装着部）に振れセンサを取り付ける方法が開示されている。
【先行技術文献】
【特許文献】
【０００６】
【特許文献１】特開２００９−０３７０８２号公報
【発明の概要】
【発明が解決しようとする課題】
【０００７】
しかしながら、浮き抑えテープを用いる方法には、以下のような問題がある。通常、振れセンサとベース筒との間には、レンズ鏡筒内においてレンズを移動させるアクチュエータが発生する振動やカメラのシャッタの動作による振動等が振れセンサによって検出されることを防止するためにスポンジ等の振動吸収部材が配置される。この場合において、浮き抑えテープを直接、振れセンサに接触させてベース筒に巻き付けると、振れセンサに不均一な押圧力が作用することで振動吸収部材が不均一に変形し、振れセンサが傾いた状態で固定されてしまうおそれがある。これにより、振れセンサによる振れの検出を良好に行えなくなる。
【０００８】
本発明は、振れセンサ等の電気素子が実装されたフレキシブル配線板の浮きをテープを用いて抑える場合に、該テープの巻き付けが電子素子に影響を与えることを回避できるようにした光学機器を提供する。
【課題を解決するための手段】
【０００９】
本発明の一側面としての光学機器は、レンズ鏡筒を有し、該レンズ鏡筒は、ベース筒と、該ベース筒の外周面上に配置され、電気素子が実装された第１のフレキシブル配線板と、ベース筒の外周面との間で第１のフレキシブル配線板を保持するようにベース筒の外周に巻き付けられるテープとを有する。ベース筒の外周面上において電気素子を挟む両側の位置うち少なくとも一方に、レンズ鏡筒の径方向において電気素子よりも高い位置に端面を有するスペーサが設けられている。そして、テープは、スペーサの端面の上を通ってベース筒の外周に巻き付けられていることを特徴とする。
【発明の効果】
【００１０】
本発明によれば、電気素子が実装されたフレキシブル配線板をテープによってベース筒との間に保持する場合に、該テープの巻き付けが電子素子に影響を与えないようにすることができる。
【図面の簡単な説明】
【００１１】
【図１】本発明の実施例である交換レンズの外観図。
【図２】実施例の交換レンズのレンズ鏡筒の部分断面図。
【図３】実施例におけるレンズ鏡筒（テープ有り）を示す斜視図。
【図４】実施例におけるレンズ鏡筒（テープ無し）を示す斜視図。
【発明を実施するための形態】
【００１２】
以下、本発明の実施例について図面を参照しながら説明する。
【００１３】
図１には、本発明の実施例である光学機器として、レンズ鏡筒を有する交換レンズ１００の外観を示している。なお、本実施例では交換レンズについて説明するが、同様の構成をレンズ一体型のデジタルカメラやビデオカメラ等の撮像装置（光学機器）のレンズ鏡筒にも適用することができる。
【００１４】
交換レンズ１００は、複数のレンズや絞り等の光学素子により構成される不図示の撮影光学系を保持するレンズ鏡筒を含む。以下の説明において、レンズ鏡筒（撮影光学系）の光軸が延びる方向を光軸方向といい、被写体側を前側とし、像側を後側とする。
【００１５】
レンズ鏡筒は、交換レンズ１００の外観を構成する外周筒１０１と、該外周筒１０１の外周における光軸方向の前側に光軸を中心とした周方向に回転操作可能に配置されたズーム操作環１０２およびフォーカス操作環１０３とを有する。ズーム操作環１０２がユーザにより回転操作されることで、撮影光学系に含まれる変倍レンズが光軸方向に移動してズームが行われる。また、フォーカス操作環１０３がユーザにより回転操作されることで、撮影光学系に含まれるフォーカスレンズが光軸方向に移動してマニュアルフォーカスが行われる。フォーカスレンズは、オートフォーカスに際しては、レンズ鏡筒の内部に設けられた振動型モータ等のフォーカスアクチュエータによって光軸方向に移動される。ズーム操作環１０２上にはオートフォーカス解除ボタン１２０が複数設けられている。交換レンズ１００は、該オートフォーカス解除ボタン１２０を操作すると、オートフォーカスを使用しているときにオートフォーカスを解除してマニュアルフォーカスを行うことができるように構成されている。
【００１６】
さらに、外周筒１０１の内周には、交換レンズ１００の振れを検出する振れセンサ（他の図に示す）と、撮影光学系内の防振レンズを光軸に直交する方向にシフトさせる防振ユニット（図示せず）とが設けられている。
【００１７】
外周筒１０１の後端には、不図示のカメラ本体に取り外し可能に結合されるマウント１２５が設けられている。レンズ鏡筒の内部におけるマウント１２５の付近には、振れセンサにより検出された振れに応じて防振ユニット（つまりは防振レンズのシフト）を制御するレンズＣＰＵ（図示せず）とが設けられている。レンズＣＰＵは、防振ユニットの制御に加え、カメラ本体に設けられたカメラＣＰＵと通信を行いながら、上述したフォーカスアクチュエータや絞りを動作させるステッピングモータ等の絞りアクチュエータ等の制御も行う。また、レンズＣＰＵは、オートフォーカス解除ボタン１２０の操作により入力される操作信号に応じてフォーカスアクチュエータの駆動を停止させる。
【００１８】
図２には、上記レンズ鏡筒のうちフォーカス操作環１０３の周辺の断面を示している。また、図３には、図２に断面を示した領域を斜め後方から見て示している。さらに、図４には、図２に断面を示した領域から後述する浮き抑えテープを取り除いた構成を斜め後方から見て示している。前述したように、外周筒１０１の外周には、フォーカス操作環１０３が周方向に回転可能に配置されている。外周面１０１の内周には、後述する振れセンサ１０７の支持ベースとなるベース筒１０４が配置されている。
【００１９】
ベース筒１０４の外周面上には、図４に分かり易く示すように、ジャイロセンサ（角速度センサ）等により構成される電気素子としての振れセンサ１０７が２つ実装された第１のフレキシブル配線板１０６が配置されている。２つの振れセンサ１０７は、レンズ鏡筒の周方向における互いに９０度離れた位相に配置されており、一方は交換レンズ１００のピッチ方向（垂直方向）の振れを検出し、他方はヨー方向（水平方向）の振れを検出する。第１のフレキシブル配線板１０６は、これら２つの振れセンサ１０７を両端近傍に実装してベース筒１０４の外周面上においてその周方向に円弧状に延びている。なお、図２は、これら２つの振れセンサ１０７のうち図３に矢印Ａで示した方を含む断面を示している。
【００２０】
図２に示すように、第１のフレキシブル配線板１０６における振れセンサ１０７の実装部分（以下、センサ実装部分という）の裏面とベース筒１０４の外周面との間にはスポンジ等により形成された振動吸収部材１０８が配置されている。振動吸収部材１０８は案内筒１０４の外周面に両面テープにより固定されている。振動吸収部材１０８は、レンズ鏡筒内のフォーカスアクチュエータの駆動により生じた振動やマウント１２５に結合されたカメラ本体内のシャッタの動作により生じた振動がベース筒１０４を介して振れセンサ１０７に伝達することを防ぐために設けられている。これにより、これらの振動がノイズとして振れセンサ１０７により検出されることが防止され、該ノイズによる防振ユニットの誤動作が回避される。
【００２１】
また、図２に示すように振れセンサ１０７よりも外周側には、浮き抑えテープ１１０が配置されている。図３に示すように、浮き抑えテープ１１０は、ベース筒１０４の外周面上に配置された第１のフレキシブル配線板１０６がベース筒１０４の外周面から浮き上がらないように、第１のフレキシブル配線板１０６の外周側からベース筒１０４の外周に巻き付けられる。言い換えれば、ベース筒１０４の外周面との間で第１のフレキシブル配線板１０６を保持するようにベース筒１０４の外周に巻き付けられる。第１のフレキシブル配線板１０６がベース筒１０４から浮き上がると、第１のフレキシブル配線板１０６に実装されている振れセンサ１０７が傾いて振れを良好に検出できなくなるおそれがある。また、浮き上がった第１のフレキシブル配線板１０６がその外周に配置され、回転するフォーカス操作環１０３に接触すると、断線するおそれがある。
【００２２】
また、図４に示すように、第１のフレキシブル配線板１０６における２つのセンサ実装部分の間には、コネクタ１１２が実装されており、該コネクタ１１２には第２のフレキシブル配線板１０９が接続されている。第２のフレキシブル配線板１０９は、前述したオートフォーカス解除ボタン１２０に接続されている。さらに、第１のフレキシブル配線板１０６における矢印Ａで示した側のセンサ実装部分とコネクタ１１２との間には、第３のフレキシブルプリント板１１１がコネクタ１１３を介して接続されている。第３のフレキシブル配線板１１１は、２つの振れセンサ１０７からの振れ検出信号と、第２のフレキシブル配線板１０９から第１のフレキシブル配線板１０６に伝達されたオートフォーカス解除ボタン１２０からの操作信号とをレンズＣＰＵに伝達するために設けられている。
【００２３】
第２のフレキシブル配線板１０９には、２箇所の折り曲げ部１０９ａ，１０９ｂが設けられている。第２のフレキシブル配線板１０９は折り曲げ部１０９ａでは１８０度折り返され、折り曲げ部１０９ｂでは９０度折り曲げられている。第２のフレキシブル配線板１０９のうちコネクタ１１２から折り曲げ部１０９ａまでの部分および折り曲げ部１０９ａから折り曲げ部１０９ｂまでの部分は、第１のフレキシブル配線板１０６の外周面に沿うように延びている。
【００２４】
ここで、第２のフレキシブル配線板１０９に折り曲げ部１０９ａ，１０９ｂを設けるのは、以下の理由による。第２のフレキシブル配線板１０９において、折り曲げ部１０９ａ，１０９ｂの位置は任意に変更可能である。この変更により、本実施例の交換レンズ１００と同様に、レンズ鏡筒の前側に振れセンサとオートフォーカス解除ボタンを備えた他の機種の交換レンズにも、第２のフレキシブル配線板１０９を共通部品として使用できる。
【００２５】
ただし、第２のフレキシブル配線板１０９の折り曲げ部１０９ａ，１０９ｂには開こう（折り曲げ前の平面に戻ろう）とする力が発生する。折り曲げ部１０９ａ，１０９ｂが開くと、図２に示したように第１および第２のフレキシブル配線板１０６，１０９の外周において回転するフォーカス操作環１０３に第２のフレキシブル配線板１０９が接触して断線するおそれがある。
【００２６】
このため、本実施例では、図２に示すように、第１のフレキシブル配線板１０６とともに第２のフレキシブル配線板１０９の折り曲げ部１０９ａ，１０９ｂも、浮き抑えテープ１１０によってベース筒１０４に対して押さえ込み、開き（浮き上がり）を防止している。
【００２７】
また、ベース筒１０４の外周面上における周方向にて振れセンサ１０７を挟む両側の位置（振れセンサ１０７に隣接する位置）には、スペーサ１０５が配置されている。スペーサ１０５は、第１のフレキシブル配線板１０６がベース筒１０４の外周面上に配置された後に、ベース筒１０４の外周面上に配置される。このため、第１のフレキシブル配線板１０６をベース筒１０４の外周面上に配置する際にスペーサ１０５が邪魔になることはない。
【００２８】
このスペーサ１０５には、レンズ鏡筒の径方向において振れセンサ１０７よりも高い位置に端面１０５ｂを有する突起１０５ａが設けられている。このため、ベース筒１０４の外周面上における周方向にて振れセンサ１０７を挟む両側の位置に突起１０５ａが設けられる。そして、浮き抑えテープ１１０は、該突起１０５ａの端面１０５ｂの上（径方向の外側）を通ってベース筒１０４の外周に巻き付けられる。
【００２９】
巻き付けられた浮き抑えテープ１１０が直接、振れセンサ１０７に接触すると、振れセンサ１０７に不均一な押圧力が作用して振動吸収部材１０８が不均一に変形し、振れセンサ１０７が傾くおそれがある。本実施例では、突起１０５ａ（スペーサ１０５）が設けられることで、巻き付けられた浮き抑えテープ１１０が振れセンサ１０７に接触しないので、浮き抑えテープ１１０との接触によって振れセンサ１０７が傾くことが防止される。
【００３０】
このように、振れセンサ１０７が実装された第１のフレキシブル配線板１０６を浮き抑えテープ１１０によってベース筒１０４との間に保持する場合に、浮き抑えテープ１１０の巻き付けが振れセンサ１０７に影響を与えないようにすることができる。
【００３１】
さらに、図２に示すように、第２のフレキシブル配線板１０９の折り曲げ部１０９ａも、突起１０５ａの端面１０５ｂと浮き抑えテープ１１０との間に配置される。これにより、折り曲げ部１０９ａが振れセンサ１０７に接触することが防止される。
【００３２】
なお、本実施例では、ベース筒１０４の外周面上における周方向にて振れセンサ１０７を挟む両側の位置に突起１０５ａを設ける場合について説明した。しかし、浮き抑えテープ１１０が振れセンサ１０７に接触しないのであれば、該両側の位置のうち少なくとも一方に突起１０５ａを設ければよい。また、ベース筒１０４の外周面上における光軸方向にて振れセンサ１０７を挟む両側の位置のうち少なくとも一方に突起１０５ａを設けてもよい。
【００３３】
また、本実施例では、電気素子の例として振れセンサを挙げたが、他の電気素子をフレキシブル配線板に実装してレンズ鏡筒に配置する場合でも、本実施例と同様の構成を採用することができる。
【００３４】
以上説明した各実施例は代表的な例にすぎず、本発明の実施に際しては、各実施例に対して種々の変形や変更が可能である。
【符号の説明】
【００３５】
１０４  ベース筒
１０５  スペーサ
１０６  第１のフレキシブル配線板
１０７  振れセンサ
１１０  浮き抑えテープ
【図１】
2016053667.tif 000003
【図２】
2016053667.tif 000004
【図３】
2016053667.tif 000005
【図４】
2016053667.tif 000006